(57)【要約】【課題】本発明は、既設の誘導柵と欄干との間に容易に設置することができ、利用者の荷物等が欄干の終端部と誘導柵との間に挟まれるのを、柵を変位させることなく防止することができる乗客コンベアの挟まれ防止装置を得ることを目的とするものである。【解決手段】挟まれ防止装置は、一対の支持柱２１、一対の側板２２、回転可能な複数のコロ２３、及びローラ２４を有している。側板２２は、欄干７の終端部と誘導柵９の欄干７側の端部とを挟んで互いに対向している。コロ２３は、側板２２の上端部間に互いに間隔をおいて設けられている。ローラ２４は、移動手摺８に摩擦接触し移動手摺８の移動により回転される。ローラ２４に接触しているコロ２３は、移動手摺８の移動に連動してローラ２４とは反対方向へ回転される。【選択図】図１
2011088714.tif 000002
【特許請求の範囲】
【請求項１】
乗客コンベアの欄干の終端部と、その近傍に立設された誘導柵の前記欄干側の端部とを挟むように配置された一対の側板、
前記側板の上端部間に互いに間隔をおいて設けられた回転可能な複数のコロ、及び
前記コロの下方で前記側板間に設けられ移動手摺に接触して回転されるローラを有し、少なくとも一部の前記コロを前記移動手摺の移動に連動して前記ローラとは反対方向へ回転させる回転機構
を備えていることを特徴とする乗客コンベアの挟まれ防止装置。
【請求項２】
前記誘導柵の近傍の床面上に立設され、前記側板を支持する複数本の支持柱をさらに備えていることを特徴とする請求項１記載の乗客コンベアの挟まれ防止装置。
【発明の詳細な説明】
【技術分野】
【０００１】
この発明は、欄干の終端部とその近傍に立設された誘導柵との間に利用者の荷物等が挟まれるのを防止する乗客コンベアの挟まれ防止装置に関するものである。
【背景技術】
【０００２】
従来の乗客コンベアの誘導柵では、主柵体と欄干端部との間に可倒柵体が設けられている。可倒柵体は、ゴム製の取付具を介して乗降床に取り付けられている。可倒柵体に力が作用すると、取付具が弾性変形し、可倒柵体が取付具を中心として倒れるように構成されている（例えば、特許文献１参照）。
【０００３】
また、従来の他の乗客コンベアの誘導柵では、主柵体の欄干側の端部に弾性支持部を介して揺動柵体が取り付けられている。揺動柵体に力が作用すると、弾性支持部が弾性変形し、揺動柵体が主柵体に対して揺動する（例えば、特許文献２参照）。
【先行技術文献】
【特許文献】
【０００４】
【特許文献１】特開２００８−１４５９号公報
【特許文献２】特開２００８−７２９５号公報
【発明の概要】
【発明が解決しようとする課題】
【０００５】
上記のような従来の誘導柵では、可倒柵体や揺動柵体が変位することにより、利用者の荷物等が欄干の終端部と主柵体との間に挟まれるのが防止されるが、変位した柵体を完全に元の状態まで復元させることが難しく、また可倒柵体や揺動柵体が破損される恐れがあった。さらに、可倒柵体や揺動柵体を有する特殊な誘導柵を予め建築側に設置してもらう必要があった。
【０００６】
この発明は、上記のような課題を解決するためになされたものであり、既設の誘導柵と欄干との間に容易に設置することができ、利用者の荷物等が欄干の終端部と誘導柵との間に挟まれるのを、柵を変位させることなく防止することができる乗客コンベアの挟まれ防止装置を得ることを目的とする。
【課題を解決するための手段】
【０００７】
この発明に係る乗客コンベアの挟まれ防止装置は、乗客コンベアの欄干の終端部と、その近傍に立設された誘導柵の欄干側の端部とを挟むように配置された一対の側板、側板の上端部間に互いに間隔をおいて設けられた回転可能な複数のコロ、及びコロの下方で側板間に設けられ移動手摺に接触して回転されるローラを有し、少なくとも一部のコロを移動手摺の移動に連動してローラとは反対方向へ回転させる回転機構を備えている。
【発明の効果】
【０００８】
この発明の乗客コンベアの挟まれ防止装置は、欄干の終端部と誘導柵の端部とを挟むように側板が配置されているので、既設の誘導柵と欄干との間に容易に設置することができ、欄干の終端部と誘導柵との間に挟まれるのを、柵を変位させることなく防止することができる。また、側板の上端部にはコロが並べられており、かつ少なくとも一部のコロがローラと反対方向へ回転されるので、利用者の手や荷物等はコロの回転により誘導され、利用者の荷物等が側板間に挟まれるのを防止することができる。
【図面の簡単な説明】
【０００９】
【図１】この発明の実施の形態１による挟まれ防止装置が設置されるエスカレータを示す側面図である。
【図２】図１のＡ部を拡大して示す側面図である。
【図３】図２の設置領域に挟まれ防止装置を設置した状態を示す側面図である。
【図４】図３の挟まれ防止装置の内部構造を示す側面図である。
【図５】図３の挟まれ防止装置を示す平面図である。
【図６】図１のＢ部に挟まれ防止装置を設置した状態を示す斜視図である。
【発明を実施するための形態】
【００１０】
以下、この発明を実施するための形態について、図面を参照して説明する。
実施の形態１．
図１はこの発明の実施の形態１による挟まれ防止装置が設置されるエスカレータを示す側面図、図２は図１のＡ部を拡大して示す側面図である。図において、トラス１の上端部には、駆動装置２及び上部スプロケット３が設けられている。上部スプロケット３は、駆動装置２により回転される。
【００１１】
トラス１の下端部には、下部スプロケット４が設けられている。上部スプロケット３と下部スプロケット４との間には、ステップチェーン５が巻き掛けられている。ステップチェーン５には、複数のステップ６（図では一部のみ示す）が連結されている。
【００１２】
トラス１上には、一対の欄干７が立設されている。欄干７は、ステップ６の往路の左右両側に設けられている。各欄干７には、ステップ６の移動に連動して移動される移動手摺８が設けられている。
【００１３】
上部乗降口には、一対の誘導柵９が立設されている。下部乗降口にも一対の誘導柵９が立設されている。誘導柵９は、例えば、混雑時の動線の整理、横入りの防止、又は転落防止等のために設置される。欄干７の終端部と誘導柵９との間には、図２に示すように、利用者の荷物等が挟まれる可能性のある領域、即ち挟まれ防止装置の設置領域１０が存在している。このような設置領域１０は、図１のＢ部にも同様に存在している。
【００１４】
上部乗降口及び下部乗降口の床下には、排水ドレーン１１がそれぞれ設けられている。また、トラス１の底部には、オイルパン１２が設けられている。
【００１５】
図３は図２の設置領域１０に挟まれ防止装置を設置した状態を示す側面図、図４は図３の挟まれ防止装置の内部構造を示す側面図、図５は図３の挟まれ防止装置を示す平面図、図６は図１のＢ部に挟まれ防止装置を設置した状態を示す斜視図である。
【００１６】
各挟まれ防止装置は、一対の支持柱２１、一対の側板２２、回転可能な複数のコロ２３、及び回転機構としてのローラ（加圧ローラ）２４を有している。支持柱２１は、誘導柵９の近傍の床面上に立設されている。支持柱２１の下端部は、ボルト等により床面に固定されている。側板２２は、支持柱２１上に支持されている。また、側板２２は、欄干７の終端部と誘導柵９の欄干７側の端部とを挟んで互いに対向している。
【００１７】
コロ２３は、側板２２の上端部間に互いに間隔をおいて設けられている。ローラ２４は、コロ２３の下方で側板２２間に設けられており、移動手摺８に摩擦接触し移動手摺８の移動により回転される。全てのコロ２３の回転軸及びローラ２４の回転軸は、互いに平行かつ水平に配置されている。
【００１８】
ローラ２４は、一部のコロ２３に摩擦接触している。これにより、ローラ２４に接触しているコロ２３は、移動手摺８の移動に連動してローラ２４とは反対方向へ回転される。この例では、ローラ２４は、コロ２３よりも大径である。
【００１９】
このような挟まれ防止装置では、欄干７の終端部と誘導柵９との間に、両者の隙間（設置領域１０）を塞ぐように側板２２が設けられているので、利用者の荷物等が挟まれるのが防止される。また、欄干７の終端部と誘導柵９の端部とを挟むように側板２２を配置するだけで、既設の誘導柵９と欄干７との間に容易に設置することができる。
【００２０】
また、側板２２の上端部にはコロ２３が並べられており、かつ少なくとも一部のコロ２３がローラ２４と反対方向へ回転されるので、利用者の手や荷物等はコロ２３の回転により誘導され、利用者の荷物等が側板２２間に挟まれるのを防止することができる。図４の例では、折り返し部で下方へ引き込まれる移動手摺８に対して、コロ２３は、コロ２３上の手や荷物等を誘導柵９側へ導くように回転される。
【００２１】
さらに、移動手摺８の駆動力がローラ２４により伝達されてコロ２３が回転されるため、専用の駆動源を用いずにコロ２３を回転させることができる。
さらにまた、側板２２は支持柱２１により支持されているので、側板２２の設置が容易である。
【００２２】
なお、実施の形態１では、ローラ２４を直接接触させてコロ２３を回転させたが、ローラ２４からコロ２３への動力伝達は、チェーンやベルト等を用いて行ってもよい。即ち、実施の形態１の回転機構はローラ２４のみにより構成されているが、チェーンやベルト等を含んでもよい。
【００２３】
また、回転機構は、全てのコロ２３を回転させても、一部のコロ２３のみを回転させてもよい。但し、図４のように移動手摺８が下方へ引き込まれる部分に設置される挟まれ防止装置では、少なくとも移動手摺８に最も近いコロ２３は回転機構により回転されることが好適である。
【００２４】
さらに、実施の形態１では側板２２を支持柱２１により支持したが、別の取付具により誘導柵９や欄干７の終端部に側板２２を取り付けることも可能である。
さらにまた、実施の形態１では挟まれ防止装置をエスカレータに適用したが、動く歩道にも適用できる。
【符号の説明】
【００２５】
７  欄干、８  移動手摺、９  誘導柵、２１  支持柱、２２  側板、２３  コロ、２４  ローラ（回転機構）。
【図１】
2011088714.tif 000003
【図２】
2011088714.tif 000004
【図３】
2011088714.tif 000005
【図４】
2011088714.tif 000006
【図５】
2011088714.tif 000007
【図６】
2011088714.tif 000008